【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
溶融状態にある樹脂をほぼ鉛直下方に押し出すように押出口を設けた押出機と、
前記押出口から押し出されてくる溶融樹脂を切断する切断部を有し、前記切断部によって切断された溶融樹脂をそれぞれに設定された供給位置まで搬送する複数の搬送手段とを備え、
前記各搬送手段が、前記押出口を中心に配置されて、前記押出口の下方位置と前記供給位置との間を交互に往復移動することを特徴とする溶融樹脂供給装置。
【請求項２】
前記搬送手段ごとに設定された前記供給位置の全てが、前記押出口を中心とする同一円周上にある請求項１に記載の溶融樹脂供給装置。
【請求項３】
前記搬送手段が、前記切断された溶融樹脂の側面に当接し、前記搬送手段の移動時の慣性力を利用して前記切断された溶融樹脂を保持する保持面と、前記保持面に対向して開閉可能に取り付けられた保持部材とを有し、
前記保持面の上方に前記切断部が形成された請求項１又は２のいずれか１項に記載の溶融樹脂供給装置。
【請求項４】
前記各搬送手段が、前記押出口を中心に放射状に設置された複数の駆動機構のそれぞれに取り付けられて、前記押出口の下方位置と前記供給位置との間を交互に往復移動する請求項１〜３のいずれか１項に記載の溶融樹脂供給装置。
【請求項５】
前記駆動機構が、前記搬送手段を水平方向に往復移動させる水平駆動用アクチュエーターと、前記各搬送手段を鉛直方向に昇降させる鉛直駆動用アクチュエーターとを有する請求項４に記載の溶融樹脂供給装置。
【請求項６】
押出機の押出口から溶融状態にある樹脂をほぼ鉛直下方に押し出すとともに、
前記押出口を中心に配置され、かつ、前記押出口の下方位置と、それぞれに設定された供給位置との間を交互に往復移動する複数の搬送手段によって、前記押出口から押し出されてくる融樹樹脂を所定長さごとに交互に切断しつつ、前記搬送手段と対になって前記供給位置に設置された複数の圧縮成形機のそれぞれに供給し、
前記圧縮成形機によって、前記切断された溶融樹脂を所定形状に圧縮成形することを特徴とする溶融樹脂の圧縮成形方法。
【請求項７】
溶融状態にある樹脂をほぼ鉛直下方に押し出すように押出口を設けた押出機と、
前記押出口から押し出されてくる溶融樹脂を切断する切断部を有し、前記切断部によって切断された溶融樹脂をそれぞれに設定された供給位置まで搬送する複数の搬送手段と、
前記搬送手段と対になって前記搬送手段ごとに設定された前記供給位置に設置されて、前記切断された溶融樹脂を所定形状に圧縮成形する複数の圧縮成形型と
を備え、
前記各搬送手段が、前記押出口を中心に配置されて、前記押出口の下方位置と前記供給位置との間を交互に往復移動することによって、前記切断された溶融樹脂を前記圧縮成形型に順次供給することを特徴とする溶融樹脂圧縮成形装置。
【請求項８】
前記圧縮成形型の全てが、前記押出口を中心とする同一円周上に設置された請求項７に記載の溶融樹脂圧縮成形装置。
【請求項９】
押出機の押出口から溶融状態にある樹脂をほぼ鉛直下方に押し出すとともに、
前記押出口を中心に配置され、かつ、前記押出口の下方位置と、それぞれに設定された供給位置との間を交互に往復移動する複数の搬送手段によって、前記押出口から押し出されてくる融樹樹脂を所定長さごとに交互に切断しつつ、前記搬送手段と対になって前記供給位置に設置された複数の圧縮成形機のそれぞれに供給し、
前記圧縮成形機によって、前記切断された溶融樹脂を所定の容器形状に圧縮成形することを特徴とする合成樹脂製容器の製造方法。
【請求項１０】
前記圧縮成形型が、下型としての雄型及び上型としての雌型を有し、
前記搬送手段によって、前記切断された溶融樹脂を前記圧縮成形型に供給する際に、前記雄型の上面に設けた凹状の受け部で前記切断された溶融樹脂を受ける請求項９に記載の合成樹脂製容器の製造方法。
【請求項１１】
多層構造とされた薄肉カップ状の容器を製造する請求項９又は１０のいずれか１項に記載の合成樹脂製容器の製造方法。
【手続補正２】
【補正対象書類名】明細書
【補正対象項目名】発明の名称
【補正方法】変更
【補正の内容】
【発明の名称】溶融樹脂供給装置、溶融樹脂圧縮成形方法、溶融樹脂圧縮成形装置、及び合成樹脂製容器の製造方法
【手続補正３】
【補正対象書類名】明細書
【補正対象項目名】０００１
【補正方法】変更
【補正の内容】
【０００１】
本発明は、押出機から押し出される溶融樹脂を所定の長さに切断して圧縮成形型に供給するための溶融樹脂供給装置、そのような溶融樹脂供給装置を好適に利用して圧縮成形型に供給された溶融樹脂を所定形状に圧縮成形する溶融樹脂圧縮成形方法、そのような溶融樹脂圧縮成形方法を好適に実施するための溶融樹脂圧縮成形装置、これらの溶融樹脂圧縮成形方法、溶融樹脂圧縮成形装置を好適に利用して合成樹脂製容器を製造する合成樹脂製容器の製造方法に関する。
【手続補正４】
【補正対象書類名】明細書
【補正対象項目名】０００８
【補正方法】変更
【補正の内容】
【０００８】
本発明は、上記のような知見に基づいてなされたものであり、押出機から押し出される溶融樹脂を切断して圧縮成形型に供給し、圧縮成形によって所定形状の合成樹脂成形品を製造するにあたり、より高荷重の負荷が必要とされる合成樹脂成形品の製造にも好適に利用することができ、また、圧縮成形型に十分な精度をもって溶融樹脂を供給することができるのはもとより、圧縮成形型に供給された後においても、供給された溶融樹脂の位置精度が損なわれないようにするのに好適な溶融樹脂供給装置、そのような溶融樹脂供給装置を好適に利用する溶融樹脂圧縮成形方法、そのような溶融樹脂圧縮成形方法を好適に実施するための溶融樹脂圧縮成形装置、これらの溶融樹脂圧縮成形方法、溶融樹脂圧縮成形装置を好適に利用する合成樹脂製容器の製造方法の提供を目的とする。
【手続補正５】
【補正対象書類名】明細書
【補正対象項目名】０００９
【補正方法】変更
【補正の内容】
【０００９】
上記課題を解決する本発明は、押出機の押出口から溶融状態にある樹脂をほぼ鉛直下方に押し出すとともに、前記押出口を中心に配置された複数の搬送手段によって、前記押出口から押し出されてくる溶融樹脂を所定長さごとに交互に切断しつつ、前記搬送手段のそれぞれに設定された供給位置まで搬送するという技術思想に基づいてなされたものである。
【手続補正６】
【補正対象書類名】明細書
【補正対象項目名】００１０
【補正方法】変更
【補正の内容】
【００１０】
すなわち、本発明に係る溶融樹脂供給装置は、溶融状態にある樹脂をほぼ鉛直下方に押し出すように押出口を設けた押出機と、前記押出口から押し出されてくる溶融樹脂を切断する切断部を有し、前記切断部によって切断された溶融樹脂をそれぞれに設定された供給位置まで搬送する複数の搬送手段とを備え、前記各搬送手段が、前記押出口を中心に配置されて、前記押出口の下方位置と前記供給位置との間を交互に往復移動する構成としてある。
【手続補正７】
【補正対象書類名】明細書
【補正対象項目名】００１１
【補正方法】変更
【補正の内容】
【００１１】
また、本発明に係る溶融樹脂の圧縮成形方法は、押出機の押出口から溶融状態にある樹脂をほぼ鉛直下方に押し出すとともに、前記押出口を中心に配置され、かつ、前記押出口の下方位置と、それぞれに設定された供給位置との間を交互に往復移動する複数の搬送手段によって、前記押出口から押し出されてくる融樹樹脂を所定長さごとに交互に切断しつつ、前記搬送手段と対になって前記供給位置に設置された複数の圧縮成形機のそれぞれに供給し、前記圧縮成形機によって、前記切断された溶融樹脂を所定形状に圧縮成形する方法としてある。
【手続補正８】
【補正対象書類名】明細書
【補正対象項目名】００１３
【補正方法】変更
【補正の内容】
【００１３】
また、本発明に係る合成樹脂製容器の製造方法は、押出機の押出口から溶融状態にある樹脂をほぼ鉛直下方に押し出すとともに、前記押出口を中心に配置され、かつ、前記押出口の下方位置と、それぞれに設定された供給位置との間を交互に往復移動する複数の搬送手段によって、前記押出口から押し出されてくる融樹樹脂を所定長さごとに交互に切断しつつ、前記搬送手段と対になって前記供給位置に設置された複数の圧縮成形機のそれぞれに供給し、前記圧縮成形機によって、前記切断された溶融樹脂を所定の容器形状に圧縮成形する方法としてある。